(57)【要約】      （修正有）【課題】構造が簡単で、ほぼすべて均一の太幅部分からなるＯ脚矯正用ベルトを提供する。【解決手段】Ｏ脚矯正用ベルト１０は、第１弾力布１１、第２弾力布１２、第１面ファスナ１３、第２面ファスナ１４、第３面ファスナ１５からなる。第１弾力布１１はＯ脚矯正用ベルト１０のほぼ全長を占める。第２弾力布１２は、第１弾力布１１の右約２／３を占め、第１弾力布１１の背後において、右端を固定端とし、左端を自由端としたものである。第１面ファスナ１３は、第１弾力布１１の左約１／３を占め、第１弾力布１１の上に固着されている。第２面ファスナ１４は、第１弾力布１１の右端背後に固着されている。第３面ファスナ１５は、第２弾力布１２の左端に固着されている。【選択図】図３
0003164055.tif 000002
【実用新案登録請求の範囲】
【請求項１】
Ｏ脚矯正用ベルト（１０）のほぼ全長を占める第１弾力布（１１）と、
前記第１弾力布（１１）の右方に位置して、前記第１弾力布（１１）の背後において、右端を固定端（１２１）とし、左端を自由端（１２２）とした第２弾力布（１２）と、
前記第１弾力布（１１）の左方に位置して、前記第１弾力布（１１）の上に固着されている第１面ファスナ（１３）と、
前記第１弾力布（１１）の右端背後に固着されている第２面ファスナ（１４）と、
前記第２弾力布（１２）の左端背後に固着されている第３面ファスナ（１５）とを有する
ことを特徴とするＯ脚矯正用ベルト（１０）。
【請求項２】
前記第２弾力布（１２）と前記第１面ファスナ（１３）の長さの合計が、Ｏ脚矯正用ベルト（１０）の長さの０．８〜１．２の長さである請求項１記載のＯ脚矯正用ベルト（１０）。
【請求項３】
前記第２弾力布（１２）と前記第１面ファスナ（１３）の長さの比率がほぼ２対１である請求項１又は２記載のＯ脚矯正用ベルト（１０）。
【考案の詳細な説明】
【技術分野】
【０００１】
本考案はＯ脚矯正用ベルトに関する。
【背景技術】
【０００２】
Ｏ脚とは、直立して両足の内側のくるぶしを密着させ、外側に１０度ほど開いたときに、ひざの左右の内側が接しない状態である。成人で強度のO脚がある場合は、変形性膝関節症や腰痛の原因になることがあるので、矯正が必要となる。
【０００３】
Ｏ脚矯正用ベルトとして、たとえば、特許第２８４０２２１号や特許第４４０７８５０号の発明が知られている。
【考案の概要】
【考案が解決しようとする課題】
【０００４】
何れの従来技術も構造が比較的に複雑であって製造コストを上昇させる可能性がある。また、双方とも細幅部分があって、その部分で破損が生じやすいものと考えられる。
【０００５】
それに対して、本発明は比較的に構造が簡単であり、ほぼすべて均一の太幅部分からなるＯ脚矯正用ベルトを提供することを目的とする。
【課題を解決するための手段】
【０００６】
本考案のＯ脚矯正用ベルトは、Ｏ脚矯正用ベルトのほぼ全長を占める第１弾力布と、前記第１弾力布の右方に位置して、前記第１弾力布の背後において、右端を固定端とし、左端を自由端とした第２弾力布と、前記第１弾力布の左方に位置して、前記第１弾力布の上に固着されている第１面ファスナと、前記第１弾力布の右端背後に固着されている第２面ファスナと、前記第２弾力布の左端背後に固着されている第３面ファスナとを有することを特徴とする（請求項１）。
【０００７】
前記第２弾力布と前記第１面ファスナの長さの合計は、Ｏ脚矯正用ベルトの長さの０．８〜１．２の長さである（請求項２）。好ましくは、約１倍（ほぼ同じ長さ）である。またそのとき、好ましくは、前記第２弾力布と前記第１面ファスナの長さの比率は約２対１である（請求項３）。
【考案の効果】
【０００８】
本考案によれば、すべての第１弾力布及び第２弾力布ともほぼ同じ幅のものを使用するので、構造が比較的に簡単である。しかも従来技術のような細幅部分は存在しないので、強度的にも耐久性のあるものとなった。
【図面の簡単な説明】
【０００９】
【図１】本考案の１実施例であるＯ脚矯正用ベルトを着用している状態の斜視図である。
【図２】本Ｏ脚矯正用ベルトの（ａ）正面図、（ｂ）平面図、（ｃ）背面図である。
【図３】本Ｏ脚矯正用ベルトの着用途中の状態を示す斜視図である。
【考案を実施するための形態】
【００１０】
以下、添付の図面に基づき、本考案の実施例を説明する。
【実施例１】
【００１１】
図１は、本考案の１実施例であるＯ脚矯正用ベルト１０を着用している状態を示している。椅子に腰をかけた状態又は睡眠状態で、両膝をＯ脚矯正用ベルト１０で縛ることにより、Ｏ脚の矯正を図ろうとするものである。
【００１２】
このＯ脚矯正用ベルト１０は、図２各図に示すように、第１弾力布１１、第２弾力布１２、第１面ファスナ１３、第２面ファスナ１４、第３面ファスナ１５からなる。
【００１３】
第１弾力布１１はＯ脚矯正用ベルト１０のほぼ全長を占める。全長は約６０ｃｍ、幅は約８ｃｍである。
【００１４】
第２弾力布１２は、第１弾力布１１の右方約４０ｃｍ（Ｏ脚矯正用ベルト全長の約２／３）を占め、第１弾力布１１の背後において、右端を固定端１２１とし、左端を自由端１２２としたものである。（ここで「右方」「左方」「背後」とは、図２（ａ）の状態で表現したものであり、当然のことながら相対的なものである。）
【００１５】
第１面ファスナ１３は、第１弾力布１１の左方約２０ｃｍ（（Ｏ脚矯正用ベルト全長の約１／３）を占め、第１弾力布１１の表面上に固着されている。
【００１６】
第２面ファスナ１４は、第１弾力布１１の右端背後に固着されている。
【００１７】
第３面ファスナ１５は、第２弾力布１２の左端背後に固着されている。
【００１８】
上記において、弾力布としては、ゴム弾性を有し、伸縮性を有しておればどのような素材でもよい。面ファスナ部分には弾力性はない。
【００１９】
面ファスナとしては、例えば次のようなものを使用することができる。
【００２０】
（１）ポリエステル繊維、ポリアミド繊維、ポリオレフィン系繊維、塩化ビニル系繊維などから選ばれた合成繊維を編織して得た編織製基材の一面に鈎状、きのこ状、ループ状の係合素子群を有する織製または編製面ファスナ、
（２）  ポリエステル、ポリアミド、ポリオレフィン、塩化ビニル系重合体、ポリウレタンなどの熱可塑性樹脂、あるいは熱硬化性樹脂を成形して得たシート状基材の一面に鈎状、きのこ状、膨頭状、角状、棒状などの係合素子群を有する成形面ファスナ。
【００２１】
このＯ脚矯正用ベルト１０を装着するには、図３に示すように、まず、第１弾力布１１を両膝に巻き付け、第２面ファスナ１４を第１面ファスナ１３に付着させて仮固定する。この段階で手を離しても固定状態は維持されている。第１面ファスナ１３は幅が広いので、かなりの部分が露出された状態で残る。
【００２２】
続いて、第２弾力布１２の自由端１２２を手で持ち、図３の矢印で示す方向に両膝を巻き、自由端１２２にある第３面ファスナ１５を第１面ファスナ１３と付着させて完成である。
【００２３】
強力な弾力布で二重に巻かれると共に面ファスナも幅広のものを使用できるので、締め付けは確実である。
【符号の説明】
【００２４】
１０   脚矯正用ベルト
１１   弾力布
１２   弾力布
１２１ 固定端
１２２ 自由端
１３   面ファスナ
１４   面ファスナ
１５   面ファスナ
【先行技術文献】
【特許文献】
【００２５】
【特許文献１】特許第２８４０２２１号
【特許文献２】特許第４４０７８５０号
【図１】
0003164055.tif 000003
【図２】
0003164055.tif 000004
【図３】
0003164055.tif 000005